(57)【要約】【課題】  モアレを抑制しつつ鮮鋭度の高い画像を容易に撮影できる電子カメラを提供する。【解決手段】  カットオフ周波数を変更可能な可変光学ローパスフィルタと、前記可変光学ローパスフィルタを通過した入射光束を光電変換する撮像素子と、前記カットオフ周波数を変化させて複数回の撮影を行い、前記カットオフ周波数を前記撮像素子のナイキスト周波数以下に設定した基準画像と、前記カットオフ周波数を前記ナイキスト周波数よりも高く設定した撮影画像とを生成する制御部と、前記基準画像および前記撮影画像の空間周波数成分を比較し、前記撮影画像のモアレ発生を判定するモアレ判定部と、を有することを特徴とする。【選択図】  図１
2006080845.tif 000002
【特許請求の範囲】
【請求項１】
カットオフ周波数を変更可能な可変光学ローパスフィルタと、
前記可変光学ローパスフィルタを通過した入射光束を光電変換する撮像素子と、
前記カットオフ周波数を変化させて複数回の撮影を行い、前記カットオフ周波数を前記撮像素子のナイキスト周波数以下に設定した基準画像と、前記カットオフ周波数を前記ナイキスト周波数よりも高く設定した撮影画像とを生成する制御部と、
前記基準画像および前記撮影画像の空間周波数成分を比較し、前記撮影画像のモアレ発生を判定するモアレ判定部と、
を有することを特徴とする電子カメラ。
【請求項２】
前記制御部は、撮影画面内でモアレ発生の判定対象となる指定点を設定し、
前記モアレ判定部は、前記基準画像および前記撮影画像の空間周波数成分を前記指定点に対応する領域からそれぞれ抽出して比較することを特徴とする請求項１に記載の電子カメラ。
【請求項３】
前記モアレ判定部は、本撮影に使用する前記カットオフ周波数の設定または前記撮影画像から選択される記録画像の決定を、前記モアレ発生の判定結果に基づいて行うことを特徴とする請求項１または請求項２に記載の電子カメラ。
【発明の詳細な説明】
【技術分野】
【０００１】
本発明は光学ローパスフィルタのカットオフ周波数を変更可能な電子カメラに関する。
【背景技術】
【０００２】
近年、ＣＣＤやＣＭＯＳ等の撮像素子によって被写体像を光電変換して画像データを生成する電子カメラが急速に普及している。かかる電子カメラでは、撮像素子の受光画素の配列パターンと被写体像のパターンとが生み出すモアレ（輝度モアレ、色モアレ）を抑制するため、撮像素子の撮像面の前方に光学ローパスフィルタを配置するのが一般的である。
【０００３】
ここで、光学ローパスフィルタは入射光束から所定周波数以上の周波数成分を除去するため、画像のモアレが抑制される一方で画像の鮮鋭度は低下することとなる。この点に関し、特許文献１から特許文献３には光学ローパスフィルタのカットオフ周波数を変更することで、モアレを抑制しつつ鮮鋭度の高い画像を撮影することができる電子カメラが開示されている。
【特許文献１】特開平１１−１６０７５８号公報
【特許文献２】特開２００３−１６７１２３号公報
【特許文献３】特開２００４−９４１３１号公報
【発明の開示】
【発明が解決しようとする課題】
【０００４】
しかし、上記特許文献に開示された電子カメラでは光学ローパスフィルタのカットオフ周波数を撮影者が設定する必要がある。そして、適切なカットオフ周波数は撮影する被写体ごとに異なるので、現実にはカットオフ周波数の設定が煩雑となる点で改善の余地があった。すなわち、上記特許文献の電子カメラにおいて適切なカットオフ周波数での撮影を行う場合には、撮影者は撮影後に画像を確認してカットオフ周波数を調整する手順を繰り返す必要が生じるので、効率的な撮影を行うのが非常に困難である。
【０００５】
本発明は上記従来技術の課題を解決するためにされたものであり、その目的は、モアレを抑制しつつも鮮鋭度の高い画像を容易に撮影できる電子カメラを提供することである。
【課題を解決するための手段】
【０００６】
請求項１の発明に係る電子カメラは、カットオフ周波数を変更可能な可変光学ローパスフィルタと、前記可変光学ローパスフィルタを通過した入射光束を光電変換する撮像素子と、前記カットオフ周波数を変化させて複数回の撮影を行い、前記カットオフ周波数を前記撮像素子のナイキスト周波数以下に設定した基準画像と、前記カットオフ周波数を前記ナイキスト周波数よりも高く設定した撮影画像とを生成する制御部と、前記基準画像および前記撮影画像の空間周波数成分を比較し、前記撮影画像のモアレ発生を判定するモアレ判定部と、を有することを特徴とする。
【０００７】
請求項２の発明は、請求項１の発明において、前記制御部は、撮影画面内でモアレ発生の判定対象となる指定点を設定し、前記モアレ判定部は、前記基準画像および前記撮影画像の空間周波数成分を前記指定点に対応する領域からそれぞれ抽出して比較することを特徴とする。
請求項３の発明は、請求項１または請求項２の発明において、前記モアレ判定部は、本撮影に使用する前記カットオフ周波数の設定または前記撮影画像から選択される記録画像の決定を、前記モアレ発生の判定結果に基づいて行うことを特徴とする。
【０００８】
（作用）
請求項１の発明では、制御部が可変光学ローパスフィルタのカットオフ周波数を段階的に変化させて複数回の撮影を行い、モアレ判定部が撮影画像の空間周波数成分をモアレのない基準画像の空間周波数成分と比較して撮影画像のモアレ発生を自動的に判定する。
請求項２の発明では、撮影画面内の指定点に対応する領域から空間周波数成分をそれぞれ抽出して比較することで、モアレ発生が予想される部分について確実にモアレを防止しつつも鮮鋭度の高い画像が得られる。また、撮影画面全体から空間周波数成分を抽出する場合と比べてモアレ判定部の演算処理量を大幅に軽減できる。
【０００９】
請求項３の発明では、カットオフ周波数を段階的に変化させて複数回の撮影を行うことでカットオフ周波数をモアレがないように最適化し、その後に本撮影を実行する電子カメラや、カットオフ周波数を段階的に変化させて複数回の撮影を行って、撮影した画像からモアレのない記録画像を選択する電子カメラを実現できる。
【発明の効果】
【００１０】
本発明では可変光学ローパスフィルタのカットオフ周波数を撮影者自身が撮影毎に調整することなく、モアレを抑制しつつも鮮鋭度の高い画像を容易に撮影することができる。
【発明を実施するための最良の形態】
【００１１】
以下、図面に基づいて本発明の実施の形態を詳細に説明する。
（第１実施形態の説明）
図１は第１実施形態の電子カメラの機能ブロック図である（請求項１から請求項３の電子カメラに対応する）。第１実施形態の電子カメラは、撮影光学系１と、撮像素子２と、Ａ／Ｄ変換部３と、可変光学ローパスフィルタ４と、アクチュエータドライバ５と、入力部６と、制御部７と、画像処理部（「モアレ判定部」に対応する）８と、メモリ９および記録媒体９ａと、再生画像等を表示する表示部１０とを有している。
【００１２】
撮像素子２は撮影光学系１の像空間側に配置される。撮像素子２の受光面には、被写体像を光電変換する受光画素が２次元配列されている。そして、撮影光学系１を介して撮像素子２の受光面に投影された被写体像は、受光画素により光電変換されてアナログ画像信号として出力される。また、Ａ／Ｄ変換部３はアナログ画像信号をデジタル画像信号に変換して画像処理部８に出力する。
【００１３】
可変光学ローパスフィルタ４は、撮影光学系１から撮像素子２の受光面に至る光路上に配置されており、撮影光学系１を透過した被写体光束からカットオフ周波数以上の空間周波数成分を除去する。可変光学ローパスフィルタ４は、図２に示すように、平行平板１１と、支持枠１２と、可撓性支持部材１３およびアクチュエータ１４とを有しており、基板１５に実装された撮像素子２の前面に配置されている。
【００１４】
平行平板１１は複屈折性を有しない光学ガラスで構成されている。平行平板１１の全体形状は撮像素子２の受光面に対応した形状（例えば、長方形）に形成されている。平行平板１１の周縁は支持枠１２で保持されており、平行平板１１と支持枠１２との間は密閉状態となっている。
可撓性支持部材１３は、例えば黒色のシリコンゴム等で構成された環状部材である。この可撓性支持部材１３の一端は、平行平板１１を透過する被写体光束を妨げないように、平行平板１１の周囲で支持枠１２に接着されている。また、可撓性支持部材１３の他端は、撮像素子２の受光面に入射する被写体光束を妨げないように、受光面の周囲で撮像素子２に接着されている。そのため、支持枠１２は、可撓性支持部材１３によって支持される構造となっている。そして、平行平板１１および支持枠１２と、可撓性支持部材１３と、撮像素子２で囲まれた空間は気密性が保たれ、外部からのゴミや水蒸気が侵入しないようになっている。
【００１５】
アクチュエータ１４は平行平板１１の上下左右の四辺に対応して４箇所に配置されている（図２では垂直方向の２つのアクチュエータの図示を省略する）。各アクチュエータ１４は積層型圧電素子などで構成され、アクチュエータドライバ５から供給される駆動信号に応じて伸縮するようになっている。また、各アクチュエータ１４の一端は基板１５に固着される一方で、その他端は支持枠１２に固着されている。なお、アクチュエータ１４は、ボイスコイルモータや、作動量増加機構が付加された単層圧電素子や、モノモルフ／バイモルフ型圧電素子等であってもよい。
【００１６】
ここで、第１実施形態の可変光学ローパスフィルタ４では、アクチュエータ１４を伸縮させると支持枠１２が傾いて、撮像素子２に対する平行平板１１の傾角が変化する。このとき、撮像素子２の受光面に結像する被写体像は平行平板１１の屈折率、厚さ、撮像素子２に対する傾角などに応じて移動する。また、垂直方向または水平方向のアクチュエータ１４が繰り返し伸縮すると、平行平板１１は垂直方向または水平方向に振動することとなる。
【００１７】
そして、撮像素子２の露光中において、水平方向および垂直方向に少なくとも１周期分ずつの振動を平行平板１１に加えると、水平方向および垂直方向に像ズレが発生して光学ローパスフィルタの効果が生じる。また、平行平板１１に加える振幅を大きくすると、カットオフ周波数を低下させた場合に相当する光学ローパスフィルタの効果が得られる。すなわち、第１実施形態の可変光学ローパスフィルタ４では、平行平板１１に加える振動を調整することでカットオフ周波数を変更することができる。
【００１８】
図３は可変光学ローパスフィルタ４のカットオフ周波数特性の概要図である。図３中、ｆnは撮像素子２のナイキスト周波数を示し、ナイキスト周波数ｆnより周波数の低い像は歪みなく再現することができる。このナイキスト周波数は、撮像素子２の画素ピッチに応じて規定される。例えば、撮像素子２の画素を所定比率で間引きして低解像度で撮影する場合には、撮像素子２の画素ピッチが見かけ上粗くなるので上記のナイキスト周波数も変化することとなる。
【００１９】
また、可変光学ローパスフィルタ４のカットオフ周波数をナイキスト周波数ｆn以上に設定し（ｆ2，ｆ3）、高い周波数を透過させると撮影した画像にモアレが生じることとなる。しかし、現実にはモアレを顕著に発生する被写体は限られる。そのため、第１実施形態では、カットオフ周波数を段階的に変化させて複数回の撮影を行い、画面にモアレが発生しない高域側のカットオフ周波数を検出するものである。
【００２０】
アクチュエータドライバ５は、平行平板１１を制御する信号に応じてアクチュエータ１４の駆動信号を生成し、該駆動信号をアクチュエータ１４に出力する。なお、平行平板１１を制御する信号は制御部７から出力され、平行平板１１を振動させる場合の振動方向、振幅および周波数を示すデータが含まれる。
入力部６は、例えばコマンドダイヤルや十字状のカーソルキーなどで構成される。この入力部６は、電子カメラのモード切り替え入力や、撮影画面内でモアレ発生の判定対象となる指定点の入力や、カットオフ周波数のステップ数およびステップ幅の入力などに使用される。なお、撮影画面中での指定点の位置は、ＡＦエリアやＡＥエリアの位置に対応し、撮影者はＡＦエリア等の選択と同様の操作で指定点（空間周波数成分の抽出領域）を選択できるようになっている（図４参照）。
【００２１】
制御部７は、画像データの画素数の設定や、可変光学ローパスフィルタ４のカットオフ周波数の制御（制御信号の出力）や、表示部１０の表示制御など、電子カメラの各部の制御に必要な演算処理を実行する。
また、制御部７は、撮影者の入力によって電子カメラの「通常撮影モード」、「ブラケティング撮影モード」等のモード切り替えを実行する。「通常撮影モード」での電子カメラは、撮影者のシャッタレリーズに応じて１回の撮影を行う。
【００２２】
一方、「ブラケティング撮影モード」での電子カメラは、可変光学ローパスフィルタ４のカットオフ周波数を段階的に変化させて複数回の撮影を行う。この撮影により、カットオフ周波数を撮像素子２のナイキスト周波数以下に設定した基準画像と、カットオフ周波数をナイキスト周波数よりも高く設定した撮影画像とが生成される。そして、制御部７は、画像処理部８による基準画像および撮影画像の空間周波数成分の比較結果に基づいて、可変光学ローパスフィルタ４のカットオフ周波数を最適化する。なお、基準画像および撮影画像において空間周波数成分を抽出する領域は、入力された指定点に基づいて制御部７が設定する。
【００２３】
画像処理部８は、１フレームを構成するデジタル画像信号に対して輪郭補償やガンマ補正、ホワイトバランス調整、輝度信号および色信号の生成などの各種画像処理を行って画像データを生成する。また、画像処理部８は、画像データを所定の規格に従って圧縮し、あるいは圧縮された画像データを所定の規格に従って伸張して復元する。
さらに、第１実施形態の画像処理部８は、基準画像および撮影画像の画像データに含まれる空間周波数成分を高速フーリエ変換（ＦＦＴ）などで分析して比較することで、撮影画像にモアレが発生したか否かを判定する。
【００２４】
メモリ９には画像処理部８の出力した画像データが一時待避される。また、メモリ９には、「ブラケティング撮影モード」において基準画像の空間周波数成分の情報が記録される。記録媒体９ａは電子カメラに対して着脱自在な半導体メモリ等であって、圧縮後の画像データが最終的に格納される。
第１実施形態の電子カメラは上記のように構成され、以下、第１実施形態の「ブラケティング撮影モード」における電子カメラの動作を図５の流れ図に従って説明する。
【００２５】
ステップＳ１０１：撮影者は、入力部６により撮影画面中の指定点の位置、カットオフ周波数のステップ数、ナイキスト周波数を基準とした比率等で示されるステップ幅を入力する。これらの条件は、被写体や撮影の目的に応じて撮影者が自由に設定することができる。
そして、制御部７は入力された指定点に基づいて基準画像および撮影画像において空間周波数成分を抽出する領域を設定する。また、制御部７は入力されたカットオフ周波数のステップ数に基づいて撮影画像の撮影フレーム数の上限値を設定する。さらに、制御部７は入力されたカットオフ周波数のステップ幅に基づいて、撮影毎のカットオフ周波数の変更量を設定する。
【００２６】
ステップＳ１０２：制御部７は、画素の間引きの有無や間引きの度合いを示す撮影設定の情報に基づいて、可変光学ローパスフィルタ４のカットオフ周波数を撮像素子２のナイキスト周波数以下に設定する。
ステップＳ１０３：制御部７は撮像素子２を駆動させて、カットオフ周波数が撮像素子２のナイキスト周波数以下である基準画像を撮影する。そして、画像処理部８は、基準画像の指定点に対応する領域について、基準画像の画像データに含まれる空間周波数成分を分析する。画像処理部８が分析した空間周波数成分のデータはメモリ９に記録される。
【００２７】
ステップＳ１０４：制御部７は、可変光学ローパスフィルタ４のカットオフ周波数をステップ幅に基づく変更量（Ｓ１０１）の分だけ高域側にシフトさせる。
ステップＳ１０５：制御部７は撮像素子２を駆動させて、カットオフ周波数をナイキスト周波数よりも高く設定した撮影画像を撮影する。そして、画像処理部８は、撮影画像の指定点に対応する領域について、撮影画像の画像データに含まれる空間周波数成分を分析する。
【００２８】
ステップＳ１０６：画像処理部８は、基準画像および撮影画像の指定点に対応する領域からそれぞれ抽出した空間周波数成分（Ｓ１０３、Ｓ１０５）を比較する。具体的には、画像処理部８は以下の処理を実行する。
（１）第１に画像処理部８は、基準画像および撮影画像の輝度成分の空間周波数分布を比較する。撮影画像の輝度成分に閾値以上の周期的変化（折り返しによる低周波成分の増加）が生じている場合には、画像処理部８は撮影画像に輝度モアレが発生していると判定し、輝度モアレの発生を示す信号を制御部７に出力する。なお、被写体のパターンの方向（例えば、縦縞、横縞など）によっては輝度モアレの方向が異なる場合があるので、画像処理部８は垂直方向および水平方向でそれぞれ輝度成分の空間周波数分布を比較する。
【００２９】
（２）第２に画像処理部８は、基準画像および撮影画像の色成分の空間周波数分布を比較する。基準画像のＲＧＢ各成分に基づいて撮影画像のＲＧＢ各成分に閾値以上の変化がある場合には、画像処理部８は撮影画像に色モアレが発生していると判定し、色モアレの発生を示す信号を制御部７に出力する。
ステップＳ１０７：制御部７は、画像処理部８からの出力（Ｓ１０６）に基づいて、撮影画像の指定点に対応する領域でモアレが発生したか否かを判定する。モアレが発生した場合（ＹＥＳ側）にはステップＳ１０８に移行する。一方、モアレが発生しない場合（ＮＯ側）にはステップＳ１０９に移行する。
【００３０】
ステップＳ１０８：制御部７は、モアレが発生した撮影画像の１回前に撮影された撮影画像のカットオフ周波数（撮影画像にモアレが生じていない最も高域側のカットオフ周波数）を本撮影時のカットオフ周波数に決定する。なお、１回目の撮影画像でモアレが発生した場合には、制御部７はナイキスト周波数を本撮影時のカットオフ周波数に決定する。その後、ステップＳ１１１に移行する。
【００３１】
ステップＳ１０９：制御部７は、撮影画像の撮影フレーム数がステップ数に基づく上限値（Ｓ１０１）に達しているか否かを判定する。撮影フレーム数が上限値に達した場合（ＹＥＳ側）にはステップＳ１１０に移行する。一方、撮影フレーム数が上限値未満の場合（ＮＯ側）にはステップＳ１０４に戻って、制御部７は可変光学ローパスフィルタ４のカットオフ周波数を変更し、ステップＳ１０４からＳ１０７までの動作を再度繰り返す。
【００３２】
ステップＳ１１０：制御部７は、一番最後に撮影された撮影画像のカットオフ周波数を本撮影時のカットオフ周波数に決定する。その後、ステップＳ１１１に移行する。
ステップＳ１１１：制御部７は、可変光学ローパスフィルタ４のカットオフ周波数を本撮影時のカットオフ周波数（Ｓ１０８，Ｓ１１０）に変更して最適化する。その後、撮影者によるシャッタレリーズに基づいて制御部７が本撮影を実行する。
【００３３】
上記第１実施形態の電子カメラによれば、可変光学ローパスフィルタ４のカットオフ周波数を被写体に合わせて自動的に最適化することができ、可変光学ローパスフィルタ４の特性を撮影者が調整する労力が著しく軽減される。そして、本撮影時には指定点近傍にモアレの発生がなく鮮鋭度の高い画像を撮影することができる。
（第２実施形態の説明）
図６は、第２実施形態の電子カメラの「ブラケティング撮影モード」の動作を示す流れ図である（請求項１から請求項３の電子カメラに対応する）。第２実施形態は第１実施形態の変形例であって、本撮影を行うことなく撮影画像の中から記録する画像を選択する例である。この第２実施形態によっても、第１実施形態とほぼ同様の効果を得ることができる。
【００３４】
ここで、第２実施形態の電子カメラの構成は、図１に示す第１実施形態の電子カメラと共通するので対応する構成には同一符号を付して説明を省略する。また、第２実施形態のステップＳ２０１、Ｓ２０２は、上記第１実施形態のステップＳ１０１、Ｓ１０２にそれぞれ対応するので説明を省略する。
ステップＳ２０３：制御部７は撮像素子２を駆動させて、カットオフ周波数が撮像素子２のナイキスト周波数以下である基準画像を撮影する。そして、画像処理部８は、基準画像の指定点に対応する領域について、基準画像の画像データに含まれる空間周波数成分を分析する。基準画像の画像データと、画像処理部８が分析した空間周波数成分のデータとはメモリ９に一時的に記録される。
【００３５】
ステップＳ２０４：制御部７は、可変光学ローパスフィルタ４のカットオフ周波数をステップ幅に基づく変更量（Ｓ２０１）の分だけ高域側にシフトさせる。
ステップＳ２０５：制御部７は撮像素子２を駆動させて、カットオフ周波数をナイキスト周波数よりも高く設定した撮影画像を撮影する。そして、画像処理部８は、撮影画像の指定点に対応する領域について、撮影画像の画像データに含まれる空間周波数成分を分析する。なお、撮影画像の画像データはメモリ９に一時的に記録される。
【００３６】
ステップＳ２０６：画像処理部８は、基準画像および撮影画像の指定点に対応する領域からそれぞれ抽出した空間周波数成分（Ｓ２０３、Ｓ２０５）を比較する。画像処理部８の具体的な処理は第１実施形態と同様であるので説明は省略する。
ステップＳ２０７：制御部７は、画像処理部８からの出力（Ｓ２０６）に基づいて、撮影画像の指定点に対応する領域でモアレが発生したか否かを判定する。モアレが発生した場合（ＹＥＳ側）にはステップＳ２０８に移行する。一方、モアレが発生しない場合（ＮＯ側）にはステップＳ２０９に移行する。
【００３７】
ステップＳ２０８：制御部７は、モアレが発生した撮影画像の１回前に撮影された撮影画像（最も高域側のカットオフ周波数で撮影されたモアレのない撮影画像）を選択する。そして、制御部７は選択された撮影画像の画像データを記録媒体９ａに最終的に記録し、一連の撮影動作を終了する。なお、１回目の撮影画像でモアレが発生した場合には、制御部７は基準画像の画像データを記録媒体９ａに最終的に記録する。
【００３８】
ステップＳ２０９：制御部７は、撮影画像の撮影フレーム数がステップ数に基づく上限値（Ｓ２０１）に達しているか否かを判定する。撮影フレーム数が上限値に達した場合（ＹＥＳ側）にはステップＳ２１０に移行する。一方、撮影フレーム数が上限値未満の場合（ＮＯ側）にはステップＳ２０４に戻って、制御部７は可変光学ローパスフィルタ４のカットオフ周波数を変更し、ステップＳ２０４からＳ２０７までの動作を再度繰り返す。
【００３９】
ステップＳ２１０：制御部７は、一番最後に撮影された撮影画像を選択する。そして、制御部７は選択された撮影画像の画像データを記録媒体９ａに最終的に記録し、一連の撮影動作を終了する。
（実施形態の補足事項）
以上、本発明を上記の実施形態によって説明してきたが、本発明の技術的範囲は上記実施形態に限定されるものではない。
【００４０】
（１）本発明の可変光学ローパスフィルタの構成は上記実施形態に限定されることはなく、他の公知の可変光学ローパスフィルタを適用することも可能である。例えば、上記の特許文献１のように、複数枚の位相板の相対位置の変更でカットオフ周波数を変化させる可変光学ローパスフィルタであってもよい。また、上記の特許文献２のように、光弾性部材に加える応力を変更することでカットオフ周波数を変化させる可変光学ローパスフィルタであってもよい。さらに、上記の特許文献３のように、楔状断面の透過性基板を組み合わせて可変光学ローパスフィルタを構成してもよい。なお、本発明の可変光学ローパスフィルタは撮像素子の受光面の直前に配置されている必要はなく、例えば、可変光学ローパスフィルタが撮影レンズ間に配置されるような構成であってもよい。
【００４１】
（２）本発明の電子カメラでは、上記実施形態のように指定点を選択することなく、撮影画面全体から空間周波数成分を抽出してモアレの発生を判定するようにしても勿論かまわない。また、指定点の位置は上記実施形態のようにＡＦエリアやＡＥエリアと必ずしも一致していなくてもよい。例えば、撮影画面を格子状の複数領域に分割し、該領域の中から撮影者が指定点を含む領域を選択するようにしてもよい。
【００４２】
（３）上記第１実施形態の基準画像および撮影画像の撮影において、撮像素子の受光面の画素全体から画像信号を読み出すことなく、指定点に対応する領域を含む部分からのみ画像信号を読み出すようにしてもよい。例えば、順次読み出し式の撮像素子（ＣＣＤ等）では、指定点に対応する領域を含む水平ラインの画像信号のみを読み出すようにしてもよい。また、ＸＹアドレス方式の撮像素子（ＣＭＯＳ等）では、指定点に対応する領域を指定して画像信号を読み出すことが可能である。
【００４３】
（４）上記第２実施形態では、モアレの発生していない撮影画像の中から一番カットオフ周波数が高い画像を１枚選択して記録しているが、これに限定されることはない。例えば、上記第２実施形態において、モアレの発生していない撮影画像および基準画像の画像データを全部または所定枚数分だけ記録媒体に記録して、撮影者が撮影画像を取捨選択できるようにしてもよい。
【産業上の利用可能性】
【００４４】
本発明は、可変光学ローパスフィルタを備えた電子カメラに適用することができる。
【図面の簡単な説明】
【００４５】
【図１】第１実施形態の電子カメラの機能ブロック図
【図２】第１実施形態の可変光学ローパスフィルタの一例を示す図
【図３】可変光学ローパスフィルタのカットオフ周波数特性の概要図
【図４】撮影画面での指定点の選択例を示す概要説明図
【図５】第１実施形態の「ブラケティング撮影モード」における電子カメラの動作を示す流れ図
【図６】第２実施形態の「ブラケティング撮影モード」における電子カメラの動作を示す流れ図
【符号の説明】
【００４６】
１  撮影光学系
２  撮像素子
３  Ａ／Ｄ変換部
４  可変光学ローパスフィルタ
５  アクチュエータドライバ
６  入力部
７  制御部
８  画像処理部
９  メモリ
９ａ  記録媒体
１０  表示部
１１  平行平板
１２  支持枠
１３  可撓性支持部材
１４  アクチュエータ
１５  基板
【図１】
2006080845.tif 000003
【図２】
2006080845.tif 000004
【図３】
2006080845.tif 000005
【図４】
2006080845.tif 000006
【図５】
2006080845.tif 000007
【図６】
2006080845.tif 000008